(57)【要約】【課題】本発明は、教習本等の表紙の裏面に盤ゲーム用の将棋用駒，囲碁用碁石等の移動体を収容可能とした収納凹部を備えた盤ゲーム付き本に関する。【解決手段】  教習本１の少なくとも一方の表紙３を複数枚重ね合わせて厚手に形成し、前記表紙３の裏面に縁部５を残して切り込み形成した収納凹部６を設け、該収納凹部６の底面に、表面に将棋・囲碁等に使用する罫線を印刷した金属板材からなるゲーム盤８ａの裏面を接着して配設すると共に、前記金属板材８表面に吸着するゴム製磁性体１１を備えた複数の将棋駒・碁石等の移動体９を脱着自在に収納できるようにした。【選択図】図１
2005288755.tif 000002
【特許請求の範囲】
【請求項１】
教習本の少なくとも一方の表紙を複数枚重ね合わせて厚手に形成し、前記表紙の裏面に縁部を残して切り込み形成した収納凹部を設け、該収納凹部の底面に、表面に将棋・囲碁等の盤ゲーム用表示部を印刷した金属板材からなるゲーム盤を接着して配設すると共に、前記金属板材表面に吸着するゴム製磁性体を備えた複数の将棋駒・碁石等の移動体を脱着自在に収納できるようにしたことを特徴とする盤ゲーム付き本。
【請求項２】
前記表紙の裏面縁部には、前記複数の将棋駒・碁石等の移動体を脱着自在に貼り付け可能とした薄い金属板を埋め込んだことを特徴とする請求項１項記載の盤ゲーム付き本。
【請求項３】
前記収納凹部の上面を覆うカバー紙を設けたことを請求項１または２に記載の盤ゲーム付き本。
【請求項４】
前記収納凹部の形成されていない他方の表紙の裏面には前記裏面縁部に埋め込んだ金属板面に対応させて、ゴム製磁性体を埋め込んだことを特徴とする請求項１〜３のいずれか１つに記載の盤ゲーム付き本。
【発明の詳細な説明】
【技術分野】
【０００１】
本発明は教習本等の表紙の裏面に、盤ゲーム用の将棋用駒，囲碁用石等の移動体を収容可能とした収納凹部を備えた盤ゲーム付き本に関する。
【背景技術】
【０００２】
従来、将棋，囲碁等の棋譜解説或いは詰め棋譜等の教習本は、書籍の中身にページを割いて棋譜の進行状態を印刷してある。
そして、棋譜の勉強にはその内容を黙読するか、或いは将棋盤或いは囲碁盤を持ち出して書籍を片手にもって棋譜の進行状態を実践形式に並べて研究・勉強等を行うようにしている。
【０００３】
これまで、本の表紙裏面に収納部を設けて、この収納部に名刺などを収納できるようにした書籍本として、例えば、特開２０００−２３８４６３号等に見られるが、その目的とするところは、営業面マンがカタログ本を顧客に持参または郵送する際に、そのカタログ本の裏側の表紙の裏面に自分の名刺などを貼り付けて送付していた体裁の悪さを改善するために開発されたものであって、教習本等の表紙の裏面に盤ゲーム用の将棋用駒，囲碁用の碁石等の移動体を収容可能とした収納部を備えた盤ゲーム付き本は存在していない。
【特許文献１】特開２０００−２３８４６３号
【発明の開示】
【発明が解決しようとする課題】
【０００４】
特に、前記教習本を通勤電車等の通勤途中で見る場合は、黙読以外に方法がなく、棋譜・詰め将棋、詰め碁などを記載した教習本では、実際に駒などを盤面に並べて実践形式で勉強することができない。棋譜の勉強には、棋譜の変化図を頭の中で考えるよりも、実際に盤面に棋譜を並べる方がより実践的であり、覚えもはやいことは勿論であって、勉強もし易い。
【０００５】
本発明は、上記課題を解決しようとするもので、前記教習本の表紙を複数枚重ね合わせて厚手に形成し、前記表紙の裏面に縁部を残して切り込み形成した収納凹部を設け、該凹部の底面に、表面に将棋・囲碁等の盤ゲーム用の罫線・図形・文字等の表示部を印刷した金属板材の裏面を接着して配設すると共に、前記金属板材表面に吸着するゴム製磁性体を備えた複数の将棋駒・碁石等の移動体を収納できるようにし、教習本を片手に持ちながらもう一方の空いた手で前記収納凹部に設けたゲーム盤を利用して通勤途中でも棋譜が並べられるようにすることを目的とするものである。
【課題を解決するための手段】
【０００６】
前記目的を達成するために本発明の請求項１に記載の発明は、教習本の少なくとも一方の表紙を複数枚重ね合わせて厚手に形成し、前記表紙の裏面に縁部を残して切り込み形成した収納凹部を設け、該収納凹部の底面に、表面に将棋・囲碁等の盤ゲーム用の表示部を印刷した金属板材からなるゲーム盤の裏面を接着して配設すると共に、前記金属板材表面に吸着するゴム製磁性体を備えた複数の将棋駒・碁石等の移動体を脱着自在に収納できるようにしたことを特徴とする。
【０００７】
請求項２の発明は、請求項１項記載の盤ゲーム付き本において、前記表紙の裏面縁部には、前記複数の将棋駒・碁石等の移動体を脱着自在に貼り付け可能とした薄い金属板材を埋め込んだことを特徴とする。
【０００８】
請求項３の発明は、請求項１または２項記載の盤ゲーム付き本において、前記収納凹部の上面を覆うカバー紙を設けたことを特徴とする。
【０００９】
請求項４の発明は、請求項１〜３のいずれか１つに記載の盤ゲーム付き本において、前記収納凹部の形成されていない他方の表紙の裏面には前記裏面縁部に埋め込んだ金属板材に対応させて、ゴム製磁性体を埋め込んだことを特徴とする。
【発明の効果】
【００１０】
上記のように構成された本発明の盤ゲーム付き本は、教習本の少なくとも一方の表紙を複数枚重ね合わせて厚手に形成し、前記表紙の裏面に縁部を残して切り込み形成した収納凹部を設け、該収納凹部の底面に、表面に将棋・囲碁等の盤ゲーム用の罫線・図形・文字等の表示部を印刷した金属板材からなるゲーム盤ゲームが盤の裏面を接着して配設すると共に、前記金属板材表面に吸着するゴム製磁性体を備えた複数の将棋駒・碁石等の移動体を脱着自在に収納できるようにした構成としたので、例えば、将棋・囲碁用の教習本であれば、教習本を片手に持ちながらもう一方の空いた手で前記収納凹部の金属板材表面に設けた罫線及び収納されている複数の将棋駒・碁石等の移動体を用いてゲーム盤とて利用できるので、通勤途中でも教習本を読みながら実戦形式の棋譜が並べられるという効果がある。
【００１１】
請求項２の発明では、前記表紙の裏面縁部に前記複数の将棋駒・碁石等の移動体を脱着自在に貼り付け可能とした薄い金属板材を埋め込んだ構成としたので、前記収納凹部の縁部に詰め将棋などにおける持駒を並べて置くことができる。
【００１２】
請求項３の発明は、前記収納凹部の上面を覆うカバー紙を設けたことで、不使用時における前記収納凹部に収納した将棋駒或いは碁石が教習本の持ち運び中に脱落したりすることが防止できる。
【００１３】
請求項４の発明は、前記収納凹部の形成されていない他方の表紙の裏面に前記裏面縁部に埋め込んだ金属板材表面に対応させて、ゴム製磁性体を埋め込んだ構成としたので、教習本の不使用時における両表紙を折り畳んだ状態では、一方の埋め込み金属板材と他方のゴム製磁性体とが吸着反応により両表紙がみだりに開閉することを阻止する効果がある。
【発明を実施するための最良の形態】
【００１４】
次に、本発明にかかる盤ゲーム付き本は、出版物で認められている盤ゲーム用に適用され、将棋・囲碁・オセロ・サッカーゲーム等のゲーム盤付き教習本に最適するものであり、以下本発明の最良の実施形態について、将棋ゲームに適用した場合について説明する。
【実施例１】
【００１５】
図１は本発明にかかる盤ゲーム付き本の第１実施例を示す将棋ゲームに適用した場合の要部斜視図で、図２は図１の使用状態の要部平面図、図３は図２のＡ−Ａ線に沿った断面図、図４は本発明に使用される将棋駒の全体斜視図である。
【００１６】
図１において、１は将棋の棋譜或いは詰め将棋を掲載した教習本であって、表裏には表表紙２及び裏表紙３が背表紙４によって連結状態に製本されたものである。
前記裏表紙３は、前記表表紙２より表紙を積層した状態の厚手に形成されており、裏表紙３の裏面には、縁部５を除いたほぼ中央位置に矩形状に切り込んで形成した有底の収納凹部６が形成されている。そして、前記収納凹部６の底部６ａには、将棋盤と同様な表示部となるように、前後左右９区画になる罫線８ｂをカラー印刷により施した紙或いはフィルム７を表面に貼着した鉄板等の金属板材８が印刷面を上面にして構成したゲーム盤８ａが両面テープ或いは接着剤等で貼り付けてある。
【００１７】
前記収納凹部６には、図２で示すように将棋対局に必要な４０枚の将棋駒９が収納できるようになっている。
また、前記将棋駒９は、前記収納凹部６に設けた金属板材８からなるゲーム盤８ａの上面に吸着されるように、図４に示すように、ケント紙１０などを将棋の駒に模して裁断し、フィルム面に王将・金将・歩・と（成り金），などの駒の種類に応じた名称をカラー印刷して張り付けたゴム製磁性体１１を前記ケント紙１０の両面に貼り付けて形成されているもので、全体の厚みが１.００〜４.００ｍｍ、好ましくは３.００ｍｍとなるように構成されている。
【００１８】
また、前記収納凹部６の外周となる縁部５には、所定形状の大きさに形成した金属板材１２が、化粧紙１３により覆われて配設されている。前記化粧紙１３は裏表紙の裏面全面に配設されており、前記収納凹部６の上方に位置する３周囲がコ字状に切断されて、凹部６の蓋体１４として機能するようになっている。
更にまた、前記表表紙２の裏面の縁部２ａには、前記裏表紙３に形成した収納凹部６の周囲縁部の配設した金属板材１２と対応させてゴム製磁性体１５が取り付けてある。
【００１９】
本発明の第１実施例においては、上述のような構成を備えているので、通勤途中などの電車内で、本発明の盤ゲーム付き本を利用する場合には、片手に教習本１をもって、黙読しながら裏表紙３の裏面に設けた収納凹部６の蓋体１４を除き、収納凹部６内に収納された将棋駒９を教習本１に記載された棋譜に従って並べて将棋盤を利用したのと同様な実践形式で目視しながら駒の移動が可能である。
【００２０】
また、前記裏表紙３の裏面縁部５に前記複数の将棋駒・碁石等の移動体を脱着自在に貼り付け可能とした薄い金属板材１２を埋め込んだ構成としたので、前記収納凹部６の縁部５に詰め将棋などにおける持駒９を並べて置くことができる。
【００２１】
更に、前記収納凹部６の上面を覆う化粧紙１３を設けたことで、不使用時における前記収納凹部６に収納した将棋駒９或いは碁石が教習本１の持ち運び中に脱落したりすることが防止できる。
【００２２】
更にまた、前記収納凹部６の形成されていない他方の表表紙２の裏面に、前記裏表紙３の裏面縁部５に埋め込んだ金属板材１２対応させて、ゴム製磁性体１５を埋め込んだ構成としたので、教習本１の不使用時における両表紙２，３を背表紙４を介して折り畳んだ状態では、一方の埋め込み金属板材１２と他方のゴム製磁性体１５とが吸着反応により両表紙の開閉を阻止することができる。
前述の第１実施例によれば、本発明の盤ゲーム付き本は、将棋用棋譜等の教習本１について、説明したが、収納凹部６の底面に配設した金属板材の表面に印刷されるゲーム盤用の表示部である将棋盤用罫線８ｂに代えて、囲碁用の罫線８ｂを施すと共に、将棋駒等の移動体９に代えて、ゴム製磁性体を埋め込んだ白，黒の碁石を用いて、囲碁用の教習本の棋譜を並べることも勿論可能である。
【００２３】
以上のように本発明によれば、表紙裏面に形成した収納凹部の底面に、教習本の内容に応じて罫線８ｂ等を設け、ゲームに対応する着脱可能な駒，碁石などの移動体９を収納することで、多種類のゲーム盤を備えた盤ゲーム付き本を提供できる。
【００２４】
更にまた、上記実施例では裏表紙側に収納凹部６を形成した構成について説明したが、裏表紙に代えて、表表紙を厚手にして、表表紙の裏面側に前述の実施例と同様な収納凹部６を形成することも勿論可能である。
【図面の簡単な説明】
【００２５】
【図１】本発明にかかる盤ゲーム付き本の表紙の第１実施例を示す将棋ゲームに適用した場合の要部斜視図、
【図２】図１の使用状態の要部平面図、
【図３】図２のＡ−Ａ線に沿った断面図、
【図４】図４は本発明に使用される将棋駒の全体斜視図である。
【符号の説明】
【００２６】
１      教習本
２      表表紙
３      裏表紙
４      背表紙
５      縁部
６      収納凹部
６ａ    底面
７      フィルム
８      金属板材
８ａ    ゲーム盤
８ｂ    罫線（表示部）
９      移動体（将棋駒）
１０    ケント紙
１１    ゴム製磁性体
１２    金属板材
１３    化粧紙
１４    蓋体
１５    ゴム製磁性体
【図１】
2005288755.tif 000003
【図２】
2005288755.tif 000004
【図３】
2005288755.tif 000005
【図４】
2005288755.tif 000006